(57)【要約】【課題】起動するオペレーティング・システムの種類ごとに異なる起動画面を表示する。【解決手段】複数のオペレーティング・システムと、ブートプログラム及び複数のオペレーティング・システムに対応する起動画面のデータが記憶された不揮発性記憶部と、この不揮発性記憶部から、ブートプログラムと指定されたオペレーティング・システムが転送される第１の揮発性記憶部と、この第１の揮発性記憶部への電源が断たれて再び供給されたときに、不揮発性記憶部から第１の揮発性記憶部へ転送すべきオペレーティング・システムを指定する指定手段と、この指定手段により指定されたオペレーティング・システムを揮発性記憶部に転送する間、当該オペレーティング・システムに対応する起動画面のデータを不揮発性記憶部から読み出して、表示部に表示するよう制御する制御部と、を備えることを特徴とする。【選択図】図１
2009048424.tif 000002
【特許請求の範囲】
【請求項１】
複数のオペレーティング・システムと、ブートプログラム及び前記複数のオペレーティング・システムに対応する起動画面のデータが記憶された不揮発性記憶部と、
前記不揮発性記憶部から、前記ブートプログラムと指定されたオペレーティング・システムが転送される第１の揮発性記憶部と、
前記第１の揮発性記憶部への電源が断たれて再び供給されたときに、前記不揮発性記憶部から前記第１の揮発性記憶部へ転送すべきオペレーティング・システムを指定する指定手段と、
前記指定手段により指定されたオペレーティング・システムを前記揮発性記憶部に転送する間、当該オペレーティング・システムに対応する起動画面のデータを前記不揮発性記憶部から読み出して、表示部に表示するよう制御する制御部と、
を備えることを特徴とする携帯電話端末。
【請求項２】
前記指定手段は、前記第１の揮発性記憶部への電源の供給が断たれた後も、前記不揮発性記憶部から前記第１の揮発性記憶部へ転送すべきオペレーティング・システムの指定情報を保持する、
ことを特徴とする請求項１に記載の携帯電話端末。
【請求項３】
前記指定手段として、所定の記憶部に記憶された、前記不揮発性記憶部から前記第１の揮発性記憶部へ転送すべきオペレーティング・システムの指定情報を利用する、
ことを特徴とする請求項２に記載の携帯電話端末。
【請求項４】
前記所定の記憶部は、前記不揮発性記憶部である、
ことを特徴とする請求項３に記載の携帯電話端末。
【請求項５】
前記所定の記憶部は、前記第１の揮発性記憶部への電源の供給が断たれた後も、電源が供給される第２の揮発性記憶部である、
ことを特徴とする請求項３に記載の携帯電話端末。
【請求項６】
前記第１の揮発性記憶部への電源が断たれて再び供給されたときに、前記不揮発性記憶部から前記第１の揮発性記憶部へ転送すべきオペレーティング・システムを指定して前記所定の記憶部に記憶させる作業は、グラフィカル・ユーザ・インタフェースを利用して行われる、
ことを特徴とする請求項４又は５に記載の携帯電話端末。
【請求項７】
前記指定手段は、その位置によって前記不揮発性記憶部から前記第１の揮発性記憶部へ転送すべきオペレーティング・システムの指定を切り替えることができるスイッチである、
ことを特徴とする請求項２に記載の携帯電話端末。
【請求項８】
複数のオペレーティング・システムと、ブートプログラム及び前記複数のオペレーティング・システムに対応する起動画面のデータが記憶された不揮発性記憶部から、前記ブートプログラムと指定されたオペレーティング・システムが転送される第１の揮発性記憶部を備える携帯電話端末で動作するオペレーティング・システム起動プログラムであって、
前記第１の揮発性記憶部への電源が断たれて再び供給されたときに、前記不揮発性記憶部から前記第１の揮発性記憶部へ転送すべきオペレーティング・システムを指定する指定手段から指定内容を読み込む手順と、
前記指定手段により指定されたオペレーティング・システムを前記揮発性記憶部に転送する手順と、
前記指定されたオペレーティング・システムを前記揮発性記憶部に転送する間、当該オペレーティング・システムに対応する起動画面のデータを前記不揮発性記憶部から読み出して、表示部に表示する手順と
をコンピュータに実行させるオペレーティング・システム起動プログラム。
【発明の詳細な説明】
【技術分野】
【０００１】
本発明は、オペレーティング・システムの種類に応じた起動画面を表示する携帯電話端末及びオペレーティング・システム起動プログラムに関する。
【背景技術】
【０００２】
従来、携帯電話端末には、単一のオペレーティング・システム（OS：Operating System）が搭載されていた。このような携帯電話端末において、オペレーティング・システムを読み出して起動するためのブートプログラムとオペレーティング・システムは例えばＮＡＮＤ型メモリのような不揮発性記憶装置に予め記憶されている。
【０００３】
従来の携帯電話端末のオペレーティング・システムを起動する際に行う処理について図１１を参照して説明する。そして、携帯電話端末の電源をオンにすると、携帯電話端末の表示画面にオペレーティング・システムの起動画面を表示する（ステップＳ２１）。このとき、このブートプログラムが、ＮＡＮＤ型メモリに記憶してあるブート自身及びオペレーティング・システムを例えばＳＤＲＡＭのような揮発性記憶装置へ転送し（ステップＳ２２）、オペレーティング・システムを実行する（ステップＳ２３）。そして、携帯電話端末の表示画面に待ち受け画面を表示する（ステップＳ２４）。オペレーティング・システムを再起動させる場合、ユーザは、携帯電話端末の電源を切り（ステップＳ２５）、再度電源を入れる。
【０００４】
このような処理を行うために、単一のオペレーティング・システムが搭載された携帯電話端末において、ブートプログラムは、１つしか必要なかった。そのため、オペレーティング・システム起動中の起動画面は一つであった。
【０００５】
上述したオペレーティング・システムの起動と並行して起動画面を表示することは慣用の技術であるが、この技術に関して先行技術文献情報として記載すべき適当なものが見あたらなかったので、本願においては先行技術文献情報を記載していない。
【発明の開示】
【発明が解決しようとする課題】
【０００６】
このように、従来、オペレーティング・システムの起動画面は単一なので、例えば、携帯電話端末に複数種類のオペレーティング・システムを搭載しようとした場合、オペレーティング・システムの種類に関らず単一のオペレーティング・システムの起動画面を表示してしまうことになる。これにより、携帯電話端末のユーザ及び開発者は、起動しているオペレーティング・システムの種類を判別できない可能性がある。
【０００７】
斯かる点に鑑み、本発明は、起動しているオペレーティング・システムの種類をユーザが識別できるようにすることを目的とする。
【課題を解決するための手段】
【０００８】
上記課題を解決するため、本発明は、複数のオペレーティング・システムと、ブートプログラム及び複数のオペレーティング・システムに対応する起動画面のデータが記憶された不揮発性記憶部と、この不揮発性記憶部から、ブートプログラムと指定されたオペレーティング・システムが転送される第１の揮発性記憶部と、この第１の揮発性記憶部への電源が断たれて再び供給されたときに、不揮発性記憶部から第１の揮発性記憶部へ転送すべきオペレーティング・システムを指定する指定手段と、この指定手段により指定されたオペレーティング・システムを揮発性記憶部に転送する間、当該オペレーティング・システムに対応する起動画面のデータを不揮発性記憶部から読み出して、表示部に表示するよう制御する制御部と、を備えることを特徴とする。
【０００９】
上記構成によれば、携帯電話端末は、オペレーティング・システムの種類ごとに異なる起動画面を表示することができる。
【発明の効果】
【００１０】
本発明によれば、複数種類のオペレーティング・システムを搭載した携帯電話端末において、オペレーティング・システムの種類ごとに異なる起動画面を表示できる。それにより、携帯電話端末のユーザ及び開発者の意図したオペレーティング・システムが起動されているか確認できる。
【発明を実施するための最良の形態】
【００１１】
以下に述べる実施の形態は、本発明の好適な具体例であるから、技術的に好ましい種々の限定が付されているが、本発明の範囲は、下記の説明において特に本発明を限定する旨の記載がない限り、これらの形態に限られるものではない。また、説明に用いた各図における寸法、形状及び配置関係も概略的なものである。
【００１２】
＜第１実施形態＞
以下、本発明の第１実施形態の例について、添付図面を参照しながら説明する。
本実施形態は、複数種類のオペレーティング・システム(ＯＳ）が搭載されている携帯電話端末に対して、電源を投入後に呼び出すオペレーティング・システムの種類を指定する情報を記憶しておく不揮発性記憶装置を携帯電話端末内部に用意して、オペレーティング・システムの起動に伴いオペレーティング・システムの種類別に起動画面の表示を行うようにしたものである。
【００１３】
図１は、本発明の第１実施形態に係る携帯電話端末の内部の構成例を示したブロック図である。本例の携帯電話端末装置１０の内部構成例を、図１を参照して説明する。携帯電話端末１０は、アンテナ１１、通信回路１２、音声処理部１３、スピーカ１４、マイク１５を備える。ただし、これらの構成要素は、本発明の本質とは直接は関係ないので、詳細な説明は省略する。
【００１４】
この携帯電話端末１０は、液晶ディスプレイなどで構成された表示部１６と、操作キーやタッチパネルなどで構成された操作部１７を備える。表示部１６には、各種設定画面などを表示させることができ、操作部１７は、各種設定などを行える。
【００１５】
これらの携帯電話端末１０内の各ブロックは、制御ライン２３を介して制御部２２などと接続してあり、またデータライン２４を介してデータ転送を行える構成としてあり、書換え可能な不揮発性記憶装置１８、第１揮発性記憶装置１９に必要なデータを記憶させるようにしてある。
【００１６】
不揮発性記憶装置１８は、携帯電話端末１０の再起動時に起動させるオペレーティング・システムの種類を指定する指定手段の一例である。不揮発性記憶装置１８には、複数のオペレーティング・システムを搭載した携帯電話端末１０を実現するために、予め複数のオペレーティング・システムとブートプログラムが記憶してある。また、オペレーティング・システム起動プログラムが記憶されている。さらに、携帯電話端末１０の再起動後、起動させるオペレーティング・システムの種類を指定する情報が、所定の領域に記憶されている。なお、オペレーティング・システム起動プログラムは、図示しないＲＯＭ（Read Only Member）に記憶しておくようにしてもよい。
【００１７】
ここで、不揮発性記憶装置１８の内部構成ついて、図２を参照して説明する。図２は、不揮発性記憶装置１８のメモリマップ例を示す図である。本例では、不揮発性記憶装置１８に２種類のオペレーティング・システムが記憶されている場合の例としてある。図２に示すように、不揮発性記憶装置１８は所定の領域に区切られており、オペレーティング・システムを読み出して起動するためのブートプログラム（以下、「ブート」と称す）であるブート３１と、第１ヘッダ情報３２と、第１オペレーティング・システム３３と、第２ヘッダ情報３４と、第２オペレーティング・システム３５を記憶している。また、ブート３１は、第１ヘッダ情報３２及び第２ヘッダ情報３４にアクセスすることより、第１オペレーティング・システム３３及び第２オペレーティング・システム３５がそれぞれ不揮発性記憶装置１８のどの領域に記憶されているか認識する。
【００１８】
なお、不揮発性記憶装置１８には、３種類以上のオペレーティング・システム及びそのオペレーティング・システムを識別するヘッダ情報を記憶しておいてもよい。また、図２に示した不揮発性記憶装置１８において、携帯電話端末１０の再起動後、起動させるオペレーティング・システムの種類を指定する情報を記憶する領域、およびブートプログラムとオペレーティング・システム以外のプログラムを記憶する領域に関する記載は省略している。
【００１９】
第１揮発性記憶装置１９は、携帯電話端末１０の各ブロックに電源を供給する図示しない主電源部から電源が供給されている間、不揮発性記憶装置１８から転送されたブート３１及び起動すべきオペレーティング・システムを記憶するようにしてある。この不揮発性記憶装置１８の内部構成については後述する。
【００２０】
次に、図３のフローチャートを参照して、携帯電話端末１０の制御部２２によるブート処理例について説明する。
【００２１】
まず、ユーザの指示等により携帯電話端末の電源をオンにする。すると、予め、不揮発性記憶装置１８に記憶されているブート３１は、前回起動時に記憶しておいたオペレーティング・システムの種類を指定する情報を読み込む（ステップＳ１）。
【００２２】
このステップＳ１の処理でブート３１が読み込んだ情報が、第１オペレーティング・システム３３を指定する情報である場合、ブート３１は、予め不揮発性記憶装置１８に記憶されている第１オペレーティング・システム３３の起動画面のデータを呼び出し、この起動画面（図４（ａ）を参照）を表示部１７に表示する（ステップＳ２）。
【００２３】
また、ステップＳ１の処理でブート３１が読み込んだ情報が、第２オペレーティング・システム３５を指定する情報である場合、ブート３１は、第２オペレーティング・システム３５の起動画面のデータを呼び出し、この起動画面（図４（ｂ）を参照）を表示部１７に表示する（ステップＳ３）。
【００２４】
これらの第１オペレーティング・システム３３の起動画面及び第２オペレーティング・システム３５の起動画面は、起動中のオペレーティング・システムの種類を区別することを目的としており、図４（ａ）及び図４（ｂ）に示すように異なった表示内容である。
【００２５】
一例として、ステップＳ１の判断処理において第１オペレーティング・システム３３が選択された場合、ブート３１は、ステップＳ２の処理で第１オペレーティング・システム３３の起動画面が表示されている間、ブート３１自身及び第１オペレーティング・システム３３を第１揮発性記憶装置１９へ転送する（ステップＳ４）。
【００２６】
ここで、第１オペレーティング・システム３３が転送された場合の第１揮発性記憶装置１９のメモリマップを図５（ａ）に示す。また、第１オペレーティング・システム３５が転送された場合の第１揮発性記憶装置１９のメモリマップを図５（ｂ）に示す。
【００２７】
ステップＳ４の処理が完了後、第１オペレーティング・システム３３の実行開始アドレスへジャンプし（移行し）（ステップＳ５）、第１オペレーティング・システム３３が起動している状態となる。
【００２８】
この第１オペレーティング・システム３３が起動しているときに、起動中の第１オペレーティング・システム３３を指定する情報を不揮発性記憶装置１８に記憶する（ステップＳ６）。
【００２９】
そして第１オペレーティング・システム３３を起動すると、制御部２２は、表示部１６に待ち受け画面を表示する（ステップＳ７）。なお、ステップＳ６の次に起動させるオペレーティング・システムの情報を記憶する処理は、ステップＳ７を実行中に実施してもよい。
【００３０】
起動させるオペレーティング・システムを変更する場合、ユーザは、操作部１７を操作し、表示部１６にオペレーティング・システムの変更を行うメニュー画面を表示させる（ステップＳ８）。
【００３１】
上記オペレーティング・システムの変更を行うメニュー画面について、図６を参照して説明する。本例のオペレーティング・システムの選択画面６０は、第１ＯＳ選択バー６１及び第２ＯＳ選択バー６２を備えるＧＵＩ（Graphical User Interface）である。これらの第１ＯＳ選択バー６１及び第２ＯＳ選択バー６２は、それぞれ次回起動させるオペレーティング・システムを選択するのに用いるアイコンである。
【００３２】
例えば、オペレーティング・システムの選択画面６０で、第２ＯＳ選択バー６２が選択された場合、ステップＳ６の処理で記憶した第１オペレーティング・システムを指定する情報の上に、第２オペレーティング・システム３５を指定する情報を不揮発性記憶装置１８に上書き記憶する（ステップＳ９）。
【００３３】
そして、ユーザが、携帯電話端末１０の電源を切ることにより、第１揮発性記憶装置１９に記憶してあるブート３１及び第１オペレーティング・システム３３を消去し、次回起動させるオペレーティング・システムを実行できる状態にする。なお、ステップＳ９の処理が完了すると共に、携帯電話端末１０が自動的に再起動するようにしてもよい。
【００３４】
ここで、再び携帯電話端末１０全体に電源が供給されると、ステップＳ１の処理に戻る。携帯電話端末１０は、第２オペレーティング・システム３５を起動し、表示部１６に第２オペレーティング・システム３５の起動画面４０ｂを表示する。以下、携帯電話端末１０は、ステップＳ１〜ステップＳ９の処理を繰り返す。ただし、携帯電話端末１０に供給する電源が断たれたなどの理由で、ステップＳ９まで到達できなかった場合も同様に、ステップＳ１の処理に戻る。その場合、携帯電話端末１０は、前回の処理においてステップＳ６で記憶した情報に基づいて起動させるオペレーティング・システムを決定する。
【００３５】
以上述べたように、本例は、携帯電話端末１０への電源供給が断たれた後も情報を保持できる記憶媒体（不揮発性記憶装置１８）に、次に起動させるオペレーティング・システムを指定する情報を記憶する。それにより、携帯電話端末１０は、再起動後においても、起動させるオペレーティング・システムによって、それぞれ異なる起動画面を表示できるようになり、ユーザや開発者は意図したオペレーティング・システムが起動しているか容易に確認することができる。
【００３６】
この情報を利用することにより、携帯電話端末１０は、複数種類のオペレーティング・システムを起動することができ、例えばＯＳの種類と関連付けられている様々な通信方式に対応することができる。
【００３７】
＜第２実施形態＞
次に、本発明の第２実施形態に係る携帯電話端末について説明する。図７は、第２実施形態に係る携帯電話端末の内部構成例を示すブロック図である。本例の携帯電話端末１００は、第１実施形態に係る携帯電話端末１０に第２揮発性記憶装置２０及びその第２揮発性装置に電源を供給する電源部２１を設けた構成としている。この図７において、図１と対応する部分には同一符号を付してある。
【００３８】
この電源部２１は、ユーザが着脱不可能な位置に設置されている補助電源であり、上記図示しない携帯電話端末全体に電源を供給する主電源部からの電源の供給がなくなっても、第２揮発性記憶装置２０に電源を供給する構成となっている。そのため、第２揮発性記憶装置２０は、上記図示しない電源の供給がなくなっても電源部２１からの電源により記憶された情報を保持できるようにしてある。
【００３９】
本例の携帯電話端末１００は、図３に示すステップＳ６及びステップＳ９の処理で取得した情報を第１揮発性装置１９に記憶する代わりに、第２揮発性記憶装置２０に記憶することにより、第１実施形態と同様の動作を実現する。本例の携帯電話端末１００におけるブート処理は、携帯電話端末１０の場合と同様であるので、詳細な説明は省略する。
【００４０】
以上述べたように、本実施形態は、携帯電話端末全体に電源を供給する主電源部からの供給が絶たれた後も、第１揮発性装置１９に電源部２１から電源を供給するようにしたので、再起動後に起動させるオペレーティング・システムを指定する情報を記憶することができる。したがって、本実施形態は、図１に示す第１実施形態と同様の作用効果を奏する。
【００４１】
＜第３実施形態＞
本発明の第３実施形態に係る携帯電話端末について説明する。図８に、第３実施形態に係る携帯電話端末の内部構成例を示す。本例の携帯電話端末１５０は、第１実施形態に係る携帯電話端末１０にスイッチ２５を設けた構成としている。この図８において、図１と対応する部分には同一符号を付してある。
【００４２】
このスイッチ２５は、起動させるオペレーティング・システムの種類を指定するための物理的なスイッチであり、図示しないインタフェース部を介して制御ライン２３に接続している。また、スイッチ２５は、図９に示すように携帯電話端末本体の所定の位置、例えば側面部等に設ける。
【００４３】
次に、図１０のフローチャートを参照して、携帯電話端末１５０の制御部２２によるブート処理例について説明する。
【００４４】
まず、ユーザの指示等により携帯電話端末の電源をオンにする。すると、スイッチ２５の位置が読み込まれ、制御部２２はスイッチ２５の位置により起動させるオペレーティング・システムを判断する（ステップＳ１１）。
【００４５】
ここで、スイッチ２５の位置が、第１オペレーティング・システム３３を指定する位置を示している場合、ブート３１は、不揮発性記憶装置１８に記憶されている第１オペレーティング・システム３３の起動画面（図４（ａ）を参照）を呼び出し、この起動画面を表示部１７に表示する（ステップＳ１２）。
【００４６】
また、スイッチ２５の位置が、第２オペレーティング・システム３５を指定する位置を示している場合、ブート３１は、第２オペレーティング・システム３５の起動画面（図４（ｂ）を参照）を呼び出し、この起動画面を表示部１７に表示する（ステップＳ１３）。
【００４７】
上記ステップＳ１１の処理で、例えばスイッチ２５が第１オペレーティング・システム３３の位置を示している場合、ブート３１は、ブート３１自身及び第１オペレーティング・システム３３を第１揮発性記憶装置１９へ転送する（ステップＳ１４）。
【００４８】
このときの第１揮発性記憶装置１９のメモリマップ例は、図５（ａ）に示すとおりである。また、ステップ１３の処理が選択された場合の第１揮発性記憶装置１９のメモリマップ例は、図５（ｂ）に示すとおりである。
【００４９】
ステップＳ１４の処理が完了後、第１オペレーティング・システム３３の実行開始アドレスへジャンプし（ステップＳ１５）、第１オペレーティング・システム３３が起動している状態となる。
【００５０】
そして第１オペレーティング・システム３３を起動すると、制御部２２は、表示部１６に待ち受け画面を表示する（ステップＳ１６）。
【００５１】
ここで、起動させるオペレーティング・システムを変更する場合、ユーザは、スイッチ２５を切り換える作業を行う（ステップＳ１７）。具体的には、現在起動中のオペレーティング・システムである第１オペレーティング・システム３３に対応する位置にあるスイッチ２５を第２オペレーティング・システム３５に対応する位置に移動させ、次回起動させるオペレーティング・システムを決定する。
【００５２】
そして、ユーザが、携帯電話端末１５０の電源を切ることにより、第１揮発性記憶装置１９に記憶してあるブート３１及び第１オペレーティング・システム３３を消去し、次回起動させるオペレーティング・システムを実行できる状態にする。なお、ステップＳ１７の処理が完了すると共に、携帯電話端末１５０が自動的に再起動するようにしてもよい。
【００５３】
ここで、再び携帯電話端末１５０全体に電源が供給されると、ステップＳ１の処理に戻り、携帯電話端末１５０は、第２オペレーティング・システム３５を起動し、表示部１６に起動画面４０ｂを表示する。
【００５４】
以上述べたように、本例は、携帯電話端末１５０において、スイッチ２５を用いて起動させるオペレーティング・システムを指定する構成にすることにより、第２揮発性記憶装置２０及び電源部２１を備える必要がないので、携帯電話端末の小型化、軽量化及び消費電力の削減ができる。また、携帯電話端末に電源が供給されていない状態においても次回起動させるオペレーティング・システムの種類を、簡単に１度の操作で指定できるので、ユーザの操作性及び使い勝手が向上する。その他、本例は、図１に示す第１実施形態及び図７に示す第２実施形態と同様の作用効果を奏する。
【００５５】
なお、第１実施形態、第２実施形態及び第３実施形態の発明を携帯電話端末などに適用する際、各実施形態の組み合わせは自由であり、例えば１台の携帯電話端末にこれら総ての実施形態を適用した構成としてもよい。
【００５６】
また、本発明は上述した実施の形態の例に限られるものではなく、携帯電話端末の他、例えば携帯情報端末（ＰＤＡ）、携帯型パーソナルコンピュータ等、携帯可能な通信端末のような搭載されているメモリの容量に制限のある端末に適用することができ、本発明の要旨を逸脱することなくその他種々の構成を取り得ることは勿論である。
【００５７】
また、上述した実施形態の機能を実現するソフトウェアのプログラムコードを記録した記録媒体（リムーバブルメディア）を、携帯電話端末に供給（装着）し、その携帯電話端末のコンピュータ（またはＣＰＵ等の制御部）が記録媒体に格納されたプログラムコードを読み出し実行することによっても、達成されることは言うまでもない。
【００５８】
さらに、上述した実施形態におけるフローチャートに記述した処理ステップは、記載された順序に沿って時系列的に行われる処理は勿論、必ずしも時系列的に処理されなくとも、並列的あるいは個別に実行される処理をも含むものである。
【図面の簡単な説明】
【００５９】
【図１】本発明の第１実施形態に係る携帯電話端末の内部構成の例を示す構成図である。
【図２】本発明の第１実施形態に係る不揮発性記憶装置のメモリマップ例を示す図である。
【図３】本発明の第１実施形態に係るブート処理例を示すフローチャートである。
【図４】本発明の第１実施形態に係るオペレーティング・システムの種類別起動画面例を示す図である。
【図５】本発明の第１実施形態に係る第１揮発性記憶装置のメモリマップ例を示す図である。
【図６】本発明の第１実施形態に係るオペレーティング・システムの選択画面例を示す図である。
【図７】本発明の第２実施形態に係る携帯電話端末の内部構成の例を示す構成図である。
【図８】本発明の第３実施形態に係る携帯電話端末の内部構成の例を示す構成図である。
【図９】本発明の第３実施形態に係る携帯電話端末の外観例を示す図である。
【図１０】本発明の第３実施形態に係るスイッチを用いる場合のブート処理例を示すフローチャートである。
【図１１】従来のブート処理例を示すフローチャートである。
【符号の説明】
【００６０】
１０…携帯電話端末、１１…アンテナ、１２…通信回路、１３…音声処理部、１４…スピーカ、１５…マイク、１６…表示部、１７…操作部、１８…不揮発性記憶装置、１９…第１揮発性記憶装置、２０…第２揮発性記憶装置、２１…電源部、２２…制御部、２３…制御ライン、２４…データライン、２５…スイッチ、３１…ブートプログラム、３２…第１ヘッダ情報、３３…第１オペレーティング・システム、３４…第２ヘッダ情報、３５…第２オペレーティング・システム、１００…携帯電話端末、１５０…携帯電話端末
【図１】
2009048424.tif 000003
【図２】
2009048424.tif 000004
【図３】
2009048424.tif 000005
【図４】
2009048424.tif 000006
【図５】
2009048424.tif 000007
【図６】
2009048424.tif 000008
【図７】
2009048424.tif 000009
【図８】
2009048424.tif 000010
【図９】
2009048424.tif 000011
【図１０】
2009048424.tif 000012
【図１１】
2009048424.tif 000013